(57)【特許請求の範囲】
【請求項１】
便器本体を洗浄する洗浄水を貯える洗浄水タンクの排水弁装置であって、
上記洗浄水タンクに形成された排水口に取り付けられる排水口部と、この排水口部を開閉する弁体と、を備えた本体部と、
この本体部に対して取り付けられて上記洗浄水タンクの仕様に応じて選択自在な筒体と、を有し、
この筒体は、上記本体部の排水口部に取り付けられる下側開口部と、この下側開口部から外周側に突出した後に上記本体部を取り囲む側壁部と、を備え、
上記本体部に取り付けられる上記筒体の取付部には、上記筒体の外部の洗浄水が上記取付部から上記筒体の内部に浸入することを防止する浸入防止手段が形成されており、
上記筒体の取付部は、下側開口部の内周側に上記排水口部の外周面と対向する第１の取付面を形成し、上記排水口部の外周面には、外側に突出する突出部が形成されており、
上記浸入防止手段は、上記第１の取付面に対して一体的に且つ変形可能に内側に突出するように形成されており、
上記浸入防止手段は、上記筒体を上記排水口部に取り付けた状態で対向する上記突出部によって潰されて変形することにより、上記第１の取付面と上記排水口部の外周面との隙間を密閉した状態で上記突出部と係止するように構成されていることを特徴とする排水弁装置。
【請求項２】
上記第１の取付面には、内側に突出する複数の突起が周方向に間隔を置いて形成され、これらの突起は、上記筒体を上記排水口部に取り付けた状態で上記突出部と係止可能である請求項１記載の排水弁装置。
【請求項３】
上記浸入防止手段は、上記第１の取付面に一体的に形成される第１の爪部であり、この第１の爪部が、上記筒体を上記排水口部に取り付けた状態で変形すると共に上記第１の取付面と上記排水口部の外周面との隙間を密閉する請求項２記載の排水弁装置。
【請求項４】
更に、上記排水口部の接続部と接続されると共に上記洗浄水タンク内の洗浄水が規定の水位を超えた場合に上記接続部を介して洗浄水を上記排水口部へ排出するオーバーフロー管を有し、上記筒体の取付部は、更に、上記筒体を上記排水口部に取り付けた状態で上記排水口部の接続部が取り付けられる上記筒体の側壁部に上記排水口部の接続部と対向する第２の取付面を形成し、上記浸入防止手段は、上記第２の取付面に一体的に形成される第２の爪部であり、この第２の爪部が、上記筒体を上記排水口部に取り付けた状態で変形すると共に上記第２の取付面と上記排水口部の接続部との隙間を密閉可能である請求項２又は３に記載の排水弁装置。
【請求項５】
上記筒体は、上記本体部が上記洗浄水タンクの排水口に対して予め固定された後、上記本体部に対して上方から取り付け可能である請求項１乃至４の何れか１項に記載の排水弁装置。
【請求項６】
請求項１乃至５の何れか１項に記載の排水弁装置を備えていることを特徴とする洗浄水タンク装置。
【請求項７】
請求項６記載の洗浄水タンク装置を備えていることを特徴とする水洗大便器。
【発明の詳細な説明】
【技術分野】
【０００１】
本発明は、排水弁装置、この排水弁装置を備えた洗浄水タンク装置、及び、この洗浄水タンク装置を備えた水洗大便器に係り、特に、組み付け性を向上させることができると共に、洗浄水量のばらつきと無駄水の発生を抑制して節水化を実現することができる排水弁装置、この排水弁装置を備えた洗浄水タンク、及び、この洗浄水タンク装置を備えた水洗大便器に関する。
【背景技術】
【０００２】
従来から、便器本体を洗浄する洗浄水を貯える洗浄水タンクの排水弁装置として、例えば、特許文献１に記載されているように、洗浄水タンクに形成された排水口に取り付けられる排水口ユニットと、排水口を開閉する排水弁を備えた排水弁ユニットと、この排水弁ユニットの周囲を取り囲むように排水口ユニットに着脱可能に取り付けられたカップ状の筒体を備えているものが知られている。
このような従来の排水弁装置においては、便器の洗浄動作が開始されて排水弁が開弁されると、洗浄水タンク内の洗浄水が筒体の上端開口部から排水弁装置内に流入した後、洗浄水タンクの排水口から便器本体に洗浄水が供給されるようになっている。
また、排水弁が開弁している間、洗浄水タンク内の水位が筒体よりも上方の初期水位（満水水位）から筒体の上縁位置（止水水位（又は死水水位））まで下降すると、筒体の外側の領域に洗浄水が残され、洗浄水タンクから便器本体への洗浄水の供給が停止されるようになっている。
よって、特許文献１に記載されているような筒体を用いた従来の排水弁装置では、満水水位から止水水位（又は死水水位）までの洗浄水量が洗浄水タンクから便器本体に供給される洗浄水量となり、便器洗浄後の洗浄水タンク内の止水水位（又は死水水位）は筒体の上縁位置によって決まるようになっている。
【先行技術文献】
【特許文献】
【０００３】
【特許文献１】特許第５０５７１９０号公報
【発明の概要】
【発明が解決しようとする課題】
【０００４】
また、近年、水洗大便器の節水化が進んだ結果、使用する洗浄水量が少なくなっているため、排水弁の開弁時間や操作時間、並びに、排水弁装置本体部と筒体との組み付け性等が、洗浄水タンクから筒体を経て便器本体に供給される洗浄水量のばらつきや無駄水の発生に影響を及ぼすことが問題となっている。
特に、排水口ユニットに取り付けられる筒体の取付部分の隙間から筒体内に浸入した洗浄水が、洗浄水量のばらつきや無駄水の発生の要因ともなるため、排水口ユニットと筒体の組み付け性をいかに向上させるかが要請された課題となっている。
【０００５】
そこで、本発明は、上述した従来技術の問題や要請された課題を解決するためになされたものであり、組み付け性を向上させることができると共に、洗浄水量のばらつきと無駄水の発生を抑制し、節水化を実現することができる排水弁装置、この排水弁装置を備えた洗浄水タンク装置、及び、この洗浄水タンク装置を備えた水洗大便器を提供することを目的としている。
【課題を解決するための手段】
【０００６】
上記の目的を達成するために、本発明は、便器本体を洗浄する洗浄水を貯える洗浄水タンクの排水弁装置であって、上記洗浄水タンクに形成された排水口に取り付けられる排水口部と、この排水口部を開閉する弁体と、を備えた本体部と、この本体部に対して取り付けられて上記洗浄水タンクの仕様に応じて選択自在な筒体と、を有し、この筒体は、上記本体部の排水口部に取り付けられる下側開口部と、この下側開口部から外周側に突出した後に上記本体部を取り囲む側壁部と、を備え、上記本体部に取り付けられる上記筒体の取付部には、上記筒体の外部の洗浄水が上記取付部から上記筒体の内部に浸入することを防止する浸入防止手段が形成されており、上記筒体の取付部は、下側開口部の内周側に上記排水口部の外周面と対向する第１の取付面を形成し、上記排水口部の外周面には、外側に突出する突出部が形成されており、上記浸入防止手段は、上記第１の取付面に対して一体的に且つ変形可能に内側に突出するように形成されており、上記浸入防止手段は、上記筒体を上記排水口部に取り付けた状態で対向する上記突出部によって潰されて変形することにより、上記第１の取付面と上記排水口部の外周面との隙間を密閉した状態で上記突出部と係止するように構成されていることを特徴としている。
このように構成された本発明においては、洗浄水タンクの仕様に応じて選択自在な筒体が、本体部に対して取り付けられることにより、洗浄水タンク内の規定水位を容易に設定することができると共に本体部と筒体との組み付け性を向上させることができる。すなわち、本体部に取り付けられる筒体の取付部に浸入防止手段が形成されているので、洗浄水タンク内の洗浄水が筒体の取付部から筒体の内部に浸入することを防止し、筒体の上方のみから洗浄水を筒体内に流入させることができるため、排水口部から便器本体に供給する洗浄水に対して、筒体の取付部から筒体の内部に浸入する洗浄水が無駄水として寄与することを抑えることができ、便器本体に供給される洗浄水量のばらつきも抑制することができる。
また、便器洗浄終了後等、筒体の外側の洗浄水タンク内の水位が筒体の上端より下方にあり、本体部の弁体が開弁することにより洗浄水タンクの排水口が開放され、筒体内の洗浄水が低下し、筒体の内側と外側で圧力差が生じている状態であっても、浸入防止手段により筒体の外部の洗浄水が筒体の取付部から筒体の内部に浸入することを防止することができるため、無駄水の発生を防ぐことができる。これらの結果、本体部と筒体との組み付け性を向上させることができ、洗浄水量のばらつきと無駄水の発生を抑制し、節水化を実現することができる。
さらに、浸入防止手段は、筒体を排水口部に取り付けた状態で対向する突出部によって潰されて変形することにより、第１の取付面と排水口部の外周面との隙間を密閉した状態で上記突出部と係止することができるため、洗浄水タンク内の洗浄水の筒体の内部への浸入が防止される。これにより、排水口部から便器本体に供給する洗浄水に対して、第１の取付面と排水口部の外周面との隙間から筒体の内部に浸入する洗浄水が無駄水として寄与することを防止することができ、便器本体に供給される洗浄水量のばらつきも抑制することができる。
これらの結果、本体部と筒体との組み付け性を向上させることができると共に、洗浄水量のばらつきと無駄水の発生を抑制し、節水化を実現することができる。
【０００７】
本発明において、好ましくは、上記排水口部の外周面には、外側に突出する突出部が形成されており、上記第１の取付面には、内側に突出する複数の突起が周方向に間隔を置いて形成され、これらの突起は、上記筒体を上記排水口部に取り付けた状態で上記突出部と係止可能である。
このように構成された本発明においては、筒体の下側開口部の内周側を排水口部に取り付けると、筒体の下側開口部の内周側の第１の取付面に形成された複数の突起が、排水口部の外周面の突出部を乗り越えた後に、これらの突起と突出部とが確実に係止されるため、筒体を本体部に対して強固に固定することができる。また、洗浄水タンク内の洗浄水の水圧によって筒体を浮上させる力が筒体に作用していたとしても、筒体の下側開口部の内周側の第１の取付面の複数の突起と排水口部の外周面の突出部との確実な係止によって、筒体は本体部に対して抜け止めされるため、筒体を本体部に対して安定して保持することができる。これらの結果、本体部と筒体との組み付け性を向上させることができると共に、洗浄水量のばらつきと無駄水の発生を抑制し、節水化を実現することができる。
【０００８】
本発明において、好ましくは、上記浸入防止手段は、上記第１の取付面に一体的に形成される第１の爪部であり、この第１の爪部が、上記筒体を上記排水口部に取り付けた状態で変形すると共に上記第１の取付面と上記排水口部の外周面との隙間を密閉する。
このように構成された本発明においては、浸入防止手段である第１の爪部が、筒体を排水口部に取り付けた状態で変形すると共に第１の取付面と排水口部の外周面との隙間を密閉するので、洗浄水タンク内の洗浄水の筒体の内部への浸入が防止されるため、排水口部から便器本体に供給する洗浄水に対して、第１の取付面と排水口部の外周面との隙間から筒体の内部に浸入する洗浄水が無駄水として寄与することを防止することができ、便器本体に供給される洗浄水量のばらつきも抑制することができる。これらの結果、本体部と筒体との組み付け性を向上させることができると共に、洗浄水量のばらつきと無駄水の発生を抑制し、節水化を実現することができる。
【０００９】
本発明において、好ましくは、更に、上記排水口部の接続部と接続されると共に上記洗浄水タンク内の洗浄水が規定の水位を超えた場合に上記接続部を介して洗浄水を上記排水口部へ排出するオーバーフロー管を有し、上記筒体の取付部は、更に、上記筒体を上記排水口部に取り付けた状態で上記排水口部の接続部が取り付けられる上記筒体の側壁部に上記排水口部の接続部と対向する第２の取付面を形成し、上記浸入防止手段は、上記第２の取付面に一体的に形成される第２の爪部であり、この第２の爪部が、上記筒体を上記排水口部に取り付けた状態で変形すると共に上記第２の取付面と上記排水口部の接続部との隙間を密閉する。
このように構成された本発明においては、浸入防止手段である第２の爪部が、筒体を排水口部に取り付けた状態で変形すると共に第２の取付面と排水口部の接続部との隙間を密閉するので、第２の取付面と排水口部の接続部との隙間から筒体の内部への洗浄水の浸入が防止されるため、排水口部から便器本体に供給する洗浄水に対して、第２の取付面と排水口部の接続部との隙間から筒体の内部に浸入する洗浄水が無駄水として寄与することを防ぐことができ、便器本体に供給される洗浄水量のばらつきも抑制することができる。これらの結果、本体部と筒体との組み付け性を向上させることができると共に、洗浄水量のばらつきと無駄水の発生を抑制し、節水化を実現することができる。
【００１０】
本発明において、好ましくは、更に、上記筒体は、上記本体部が上記洗浄水タンクの排水口に対して予め固定された後、上記本体部に対して上方から取り付け可能である。
このように構成された本発明においては、本体部が洗浄水タンクの排水口に対して固定された後、洗浄水タンクの仕様に応じて選択自在な筒体を本体部に対して上方から取り付ける簡単な取り付け操作によって、洗浄水タンク内の規定水位をさらに容易に設定することができる。
【００１１】
つぎに、本発明は、上記排水弁装置を備えている洗浄水タンク装置である。
このように構成された本発明においては、洗浄水タンクの仕様に応じて選択した排水弁装置の筒体を排水弁装置の本体部に取り付けるだけで、洗浄水タンク内の規定水位を容易に設定することができ、洗浄水タンクから便器本体に供給する洗浄水量を容易に調整することができる洗浄水タンク装置を提供することができる。また、排水弁装置の筒体の取付部から筒体の内部に浸入する洗浄水が無駄水として寄与することを防ぐことができ、便器本体に供給される洗浄水量のばらつきも抑制することができる。これらの結果、本体部と筒体との組み付け性を向上させることができ、洗浄水量のばらつきと無駄水の発生を抑制し、節水化を実現することができる。
【００１２】
つぎに、本発明は、上記洗浄水タンク装置を備えている水洗大便器である。
このように構成された本発明においては、洗浄水タンクの仕様に応じて選択した排水弁装置の筒体を排水弁装置の本体部に取り付けるだけで、洗浄水タンク内の規定水位を容易に設定することができ、洗浄水タンクから便器本体に供給する洗浄水量を容易に調整することができる水洗大便器を提供することができる。また、排水弁装置の筒体の取付部から筒体の内部に浸入する洗浄水が無駄水として寄与することを防ぐことができ、便器本体に供給される洗浄水量のばらつきも抑制することができる。
【発明の効果】
【００１３】
本発明の排水弁装置、この排水弁装置を備えた洗浄水タンク装置、及び、この洗浄水タンク装置を備えた水洗大便器によれば、組み付け性を向上させることができると共に、洗浄水量のばらつきと無駄水の発生を抑制し、節水化を実現することができる。
【図面の簡単な説明】
【００１４】
【図１】本発明の第１実施形態による排水弁装置が適用される洗浄水タンク装置を備えた水洗大便器を示す概略図である。
【図２】図１のＩＩ−ＩＩ線に沿った断面斜視図である。
【図３】本発明の第１実施形態による排水弁装置の平面図である。
【図４】図３のＩＶ−ＩＶ線に沿った断面図である。
【図５】図３のＶ−Ｖ線に沿った断面図である。
【図６】本発明の第１実施形態による排水弁装置の筒体を斜め上方から見た斜視図である。
【図７】図６のＶＩＩ−ＶＩＩ線に沿った断面図である。
【図８】図７のＶＩＩＩ部を部分的に拡大した部分拡大図である。
【図９】図７のＩＸ−ＩＸ線に沿って見た部分断面図である。
【図１０】本発明の第２実施形態による排水弁装置の筒体を斜め上方から見た斜視図である。
【図１１】図１０のＸＩ−ＸＩ線に沿った断面図である。
【図１２】図１０のＸＩＩ−ＸＩＩ線に沿った断面図である。
【発明を実施するための形態】
【００１５】
以下、添付図面を参照して、本発明の第１実施形態による排水弁装置、この排水弁装置を備えた洗浄水タンク装置、及び、この洗浄水タンク装置を備えた水洗大便器について説明する。
図１は、本発明の第１実施形態による排水弁装置が適用される洗浄水タンク装置を備えた水洗大便器を示す概略図であり、図２は、図１のＩＩ−ＩＩ線に沿った断面図である。
【００１６】
図１に示すように、本発明の第１実施形態による排水弁装置が適用される洗浄水タンク装置を備えた水洗大便器１は、汚物を受ける便器本体２と、この便器本体２の後方側の上面に配置される直方体状の洗浄水タンク装置４とを備えている。
この洗浄水タンク装置４の上面に取り付けられている大洗浄ボタン４ａまたは小洗浄ボタン４ｂを押すことによって、洗浄形態に応じた流量の洗浄水が洗浄水タンク装置４から便器本体２に供給されるようになっている。
【００１７】
図２に示すように、洗浄水タンク装置４は、洗浄水タンク６と、この洗浄水タンク６の底面６ａに形成された排水口６ｂに取り付けられる本発明の第１実施形態による排水弁装置８と、洗浄水タンク６の底面に載置されて洗浄水タンク６に洗浄水を供給する給水装置１０とを備えている。
また、排水弁装置８は、オーバーフロー管１２を備えており、洗浄水タンク６内の洗浄水がオーバーフロー管１２の上端位置に相当する規定水位を超えた場合に排水弁装置８の下流側へ流出させるようになっている。
【００１８】
つぎに、図２〜図５を用いて本発明の第１実施形態による排水弁装置の構造について説明する。
図３は、本発明の第１実施形態による排水弁装置の平面図であり、図４は、図３のＩＶ−ＩＶ線に沿った断面図であり、図５は、図３のＶ−Ｖ線に沿った断面図である。
【００１９】
図２〜図５に示すように、排水弁装置８は、洗浄水タンク６の排水口に取り付けられる排水口部１４及びこの排水口部１４を開閉する排水弁部１６を備えた本体部１８と、排水口部１４に取り付けられる概ねカップ状の筒体２０とを備えている。
【００２０】
図４に示すように、排水口部１４は、洗浄水タンク６の底面６ａを貫く排水口６ｂに取り付けられる概ね円筒状の排水口部本体２２と、この排水口部本体２２の内側且つ下方向かって縮径する縮径部２４ａを含み且つこの縮径部２４ａから下方に向かって洗浄水タンク６の排水口６ｂを貫くように延びる排水路２４ｂを形成する排水路形成部２４と、縮径部２４ａの上縁に沿って概ね円環状に形成されて上方に向けて突出している弁座２６とを備えている。この弁座２６の内周側の領域は、実質的には、排水口部１４の排水口１４ａを形成しており、この排水口１４ａは、洗浄水タンク６内の洗浄水が便器本体２側に排水される排水口に相当している。
また、図５に示すように、排水口部１４は、オーバーフロー管１２の下方部分と排水口部本体２２とを一体的に接続するように設けられると共に、排水路２４ｂとオーバーフロー管１２とを連通させるオーバーフロー管接続部２８を備えている。
【００２１】
図４に示すように、排水口部本体２２の下端は、洗浄水タンク６の排水口６ｂに挿入されており、排水口部本体２２の下方の外周には、鍔部３０が形成されている。この鍔部３０は、その下方側の洗浄水タンク６の底面６ａとにより円環状のパッキン３２を挟持することで、洗浄水タンク６に貯水された洗浄水が排水口部本体２２と洗浄水タンク６の底面６ａや排水口６ｂとの間の隙間から流出することを防いでいる。
また、図４及び図５に示すように、筒体２０の取付部（詳細は後述する下側開口部４６）が取り付けられる排水口部本体２２の外周面の取付部には、外側に向けて突出する突出部３４が全周に渡って帯状に形成されている。
【００２２】
さらに、図２、図４及び図５に示すように、排水口部本体２２の弁座２６よりも上方の領域には、周方向に複数の連通口３６が形成されており、各連通口３６の開口断面は、図４に示す側面視及び図５に示す正面視において、矩形状に形成されている。
また、各連通口３６は、図３及び図４に示すように、筒体２０の内側で且つ本体部１８の外側の第１の領域Ａ１と排水口部１４内の第２の領域Ａ２とを連通させており、洗浄水タンク６内の洗浄水の水位が筒体２０の上縁よりも上方に位置するときに、筒体２０内に流入した洗浄水は、各連通口３６から排水口部１４内に流入するようになっている。
【００２３】
排水口部１４のオーバーフロー管接続部２８は、オーバーフロー管１２と排水口部１４とを構造的に接続するリブ２８ａと、オーバーフロー管１２の内部と排水口部１４の内部とを流体的に接続する連通路２８ｂとを備えており、これによりオーバーフロー管１２と排水口部１４とが一体的に形成されている。
【００２４】
図４に示すように、排水弁部１６は、排水口部１４の弁座２６と当接することで排水口部１４を開閉する円盤状の弁体３８を備えている。
また、排水弁部１６は、下端側に弁体３８が設けられていると共に、上端側が大洗浄ボタン４ａ及び小洗浄ボタン４ｂと接続されるリンク機構４０と連結されている主軸部材４２を備えている。
さらに、排水弁部１６は、弁体３８及び主軸部材４２を覆い排水弁部１６の外観を形成する円筒状のケーシング４４を備えている。
【００２５】
つぎに、図４〜図９を用いて本発明の第１実施形態による排水弁装置の筒体の構造について説明する。
図６は、本発明の第１実施形態による排水弁装置の筒体を斜め上方から見た斜視図であり、図７は、図６のＶＩＩ−ＶＩＩ線に沿った断面図であり、図８は、図７のＶＩＩＩ部を部分的に拡大した部分拡大図であり、図９は、図７のＩＸ−ＩＸ線に沿って見た部分断面図である。
【００２６】
図４及び図７に示すように、筒体２０は、洗浄水タンク６の排水口６ｂに取り付けられた本体部１８の排水口部１４に嵌めて取り付けられる下側開口部４６と、この下側開口部４６から外周側に突出して筒体２０の底面を形成する底面部４８と、この底面部４８から上方に伸びて本体部１８の外周を取り囲む側壁部５０と、この側壁部５０の上端部と連続する上側開口部５２とを備えている。
【００２７】
下側開口部４６は、概ね円筒状の排水口部本体２２に外側から嵌合されるため、平面視で断面がほぼ円形形状であり、本体部１８に取り付けられる筒体２０の取付部５４の一部を形成している。
そして、図４及び図７に示すように、下側開口部４６の内周側には排水口部１４の外周面５６と対向する第１の取付面５８が形成されており、この第１の取付面５８には、筒体２０の外部の洗浄水が筒体２０から筒体２０の内部に浸入することを防止する浸入防止手段である第１の爪部６０が形成されている。
この第１の爪部６０は、上方に向かって突出しており、筒体２０を排水口部１４に取り付けると変形して第１の取付面５８と排水口部１４の外周面５６との隙間を密閉することができるようになっている。
なお、本実施形態においては、第１の爪部６０が下側開口部４６の第１の取付面５８の全周に渡って形成されているが、この第１の爪部６０については、下側開口部４６の第１の取付面５８に周方向に沿って間隔を置いて形成してもよい。
【００２８】
さらに、第１の取付面５８には、中心方向である内側に向けて突出する正面視で長方形の突起６２が周方向に間隔を置いて複数（４つ）形成されており、これらの突起６２は筒体２０を排水口部１４に取り付けた際に排水口部１４の突出部３４と係合することができるようになっている。
なお、突起６２の個数は第１の取付面５８に複数形成されていれば、その個数は４つに限定されるものでない。
【００２９】
底面部４８は、一端が下側開口部４６と滑らかに接続されており、他端が側壁部５０と滑らかに接続されている。
また、側壁部５０は、図４に示すように排水口部１４の排水口部本体２２及び排水弁部１６のケーシング４４から距離を置いて対向しており、下方に向かってやや傾斜している。
これにより、筒体２０は、第１の領域Ａ１における流路断面積が下方に向かって減少するように形成されている。
よって、第１の領域Ａ１から連通口３６を経て第２の領域Ａ２から排水口部１４の排水口１４ａに至る流路は、その流路面積が下流側に位置するにつれて小さくなるように形成されている。
【００３０】
つぎに、図５においては、筒体２０の上側開口部５２の上縁５２ａの高さ位置に相当する洗浄水タンク６内の洗浄水の水位を止水水位（又は死水水位）ＤＷＬで示している。
また、筒体２０の上側開口部５２の下縁５２ｂ付近の高さ位置Ｐ１における筒体２０の内側で且つ本体部１８の外側の第１の領域Ａ１の流路断面積について、流路面積Ｓ１とし、高さ位置Ｐ１よりも下方で且つ連通口３６よりも上方の高さ位置Ｐ２における筒体２０の内側で且つ本体部１８の外側の第１の領域Ａ１の流路断面積について、流路面積Ｓ２としている。
さらに、図５においては、高さ位置Ｐ２よりも下方の各連通口３６が形成されている高さ位置Ｐ３では、すべての連通口３６の開口総面積について、流路面積Ｓ３で示しており、各連通口３６の下方の排水口１４ａの高さ位置Ｐ４では、排水口１４ａの開口断面積をＳ４で示している。
また、図５においては、排水路形成部２４の排水路２４ｂの下端付近の流路断面積をＳ５で示している。
図５に示すように、各流路面積Ｓ１〜Ｓ５は、位置Ｐ１から位置Ｐ５まで下流側になる程小さくなるように設定されている。
【００３１】
また、筒体２０の側壁部５０のオーバーフロー管１２と対向する第１の側面６４（図２参照）の前後方向中央には、縦長の開口であるスリット６６が底面部４８まで形成されており、下側開口部４６の開口４６ａと連通している。
このように側壁部５０のスリット６６が形成されていることにより、筒体２０を排水口部１４に取り付けた際に排水口部１４のオーバーフロー管接続部２８のリブ２８ａが筒体２０の側壁部５０のスリット６０に挿入されるようになっている。
【００３２】
図９に示すように、筒体２０の側壁部５０のスリット６６には、排水口部１４のオーバーフロー管接続部２８と対向する第２の取付面６８が形成され、この第２の取付面６８には、筒体２０の外部の洗浄水が筒体２０の内部に浸入することを抑制する浸入防止手段である第２の爪部７０が一体的に形成されている。
この第２の爪部７０は、上方に向かって突出しており、筒体２０を排水口部１４に取り付けると変形して第２の取付面６８と排水口部１４のオーバーフロー管接続部２８のリブ２８ａとの隙間を密閉するようになっている。
【００３３】
上側開口部５２は、図６及び図７に示すように、上側開口部５２の下端５２ａから上端５２ｂに向かって本体部１８（すなわち、筒体２０の中心）から離間するように湾曲面７２が形成されている。
そして、図２及び図７に示すように、上側開口部５２の湾曲面７２は、筒体２０の上側開口部５２の給水装置１０側の上縁部分（正面側から見て筒体２０の上側開口部５２の左側上縁部分）に最も湾曲している最大湾曲面７２ａを形成している。
一方、筒体２０の上側開口部５２の左側上縁部分以外の上縁部分、すなわち、筒体２０の上側開口部５２の前後の上縁部分や右側上縁部分は、筒体２０の上側開口部５２の左側上縁部分の最大湾曲面７２ａに比べてほとんど湾曲していない。
【００３４】
なお、本実施形態では、図２及び図７に示すように、上側開口部５２の湾曲面７２の最大湾曲面７２ａが、筒体２０の上側開口部５２の給水装置１０側の上縁部分（正面側から見て筒体２０の上側開口部５２の左側上縁部分）のみに設けられた形態について説明するが、洗浄水タンク６内における筒体２０の前後方向の周辺スペースやオーバーフロー管１２側の周辺スペースが十分に確保できる場合には、筒体２０の上側開口部５２の前後の上縁部分や右側上縁部分にも、最大湾曲面７２ａと同様な湾曲面を設けてもよい。
【００３５】
つぎに、図４、図５、図８及び図１０を用いて、本発明の第１実施形態による排水弁装置における筒体の取付方法について説明する。
まず、予め、洗浄水タンク６の排水口６ｂに排水弁装置８の本体部１８の排水口部１４の下側部分を上方から挿入して固定し、この状態で、洗浄水タンク６の仕様に応じて選択した筒体２０を排水弁装置８の本体部１８の排水口部１４に上方から取り付ける。
具体的には、排水弁装置８の本体部１８の上方に位置ある取付前の筒体２０を下方に移動させることにより、筒体２０の下側開口部４６の開口４６ａ内に排水弁装置８の本体部１８の上方部分から排水口部本体２２の下方の突出部３４付近まで挿入する。そして、筒体２０の下側開口部４６の内周側の突起６２が排水弁装置８の本体部１８の排水口部本体２２の外周側の突出部３４を乗り越えるまで、筒体２０を本体部１８に対して下方に移動させることにより、筒体２０の下側開口部４６の内周側を排水弁装置８の本体部１８の排水口部１４の排水口部本体２２の外周側の突出部３４に嵌める。
このとき、筒体２０の第１の爪部６０が排水口部１４の突出部３４によって潰されて変形し、筒体２０と排水口部本体２２との間の隙間が密閉され、筒体２０の外部の洗浄水が筒体２０と排水口部本体２２との間の隙間から排水口部１４内に浸入することが防止される。
同時に、筒体２０の第２の爪部７０が接続部２８のリブ２８ａによって潰されて変形し、筒体２０と接続部２８との間の隙間が密閉され、筒体２０の外部の洗浄水が筒体２０と接続部２８との間の隙間から排水口部１４内に浸入することが防止される。
【００３６】
加えて、筒体２０の下側開口部４６を排水口部１４の排水口部本体２２に嵌められた際に、筒体２０の突起６２の上端が排水口部１４の突出部３４の下端と係止し、筒体２０が本体部１８に対して強固に固定される。
これにより、洗浄水タンク６内の洗浄水の浮力によって、筒体２０が排水口部１４から脱落することを防ぐことができる。
【００３７】
このように、洗浄水タンク６に予め取り付けられた状態の本体部１８に対して、洗浄水タンク６の仕様に応じて選択可能な筒体２０が上方から後付けすることができるため、種々の筒体２０を選択して適宜本体部１８に取り付けることで、洗浄水タンク６の仕様に応じた洗浄水タンク６内の洗浄水の最低水位（止水水位（又は死水水位）ＤＷＬ）等の規定水位や便器本体２側に供給する洗浄水量を容易に設定することが可能となる。
【００３８】
さらに、便器本体２の洗浄を開始する際、排水弁装置８の本体部１８の弁体３８が開弁することにより排水口部１４の排水口１４ａが開放されると、洗浄水タンク６内の洗浄水が、筒体２０の上側開口部５２から筒体２０内に流入した後、排水口部１４から洗浄水タンク６の排水口を経て便器本体２に排出され、洗浄水タンク６内の洗浄水の水位が低下する。
そして、この洗浄水の水位が筒体２０の上側開口部５２の上端５２ｂより下方に低下すると、筒体２０の上側開口部５２から内部に洗浄水が流入しなくなるため、洗浄水タンク６内の水位を止水水位（又は死水水位）ＤＷＬで停止させることができる。
したがって、洗浄水タンク６の仕様に応じて選択した筒体２０を本体部１８に後付けするだけで、洗浄水タンク６内の規定水位（止水水位（又は死水水位）ＤＷＬ）を容易に設定することができ、洗浄水タンク６から便器本体２に供給する洗浄水量を容易に調整することができる。
【００３９】
上述した本発明の第１実施形態による排水弁装置８によれば、筒体２０が、洗浄水タンク６の仕様に応じて選択することができると共に、排水弁装置８の本体部１８に対して上方から簡単に取り付けられるので、洗浄水タンク６内の規定水位を容易に設定することができると共に本体部１８と筒体２０との組み付け性を向上させることができる。
また、本体部１８に取り付けられる筒体２０の第１の取付面５８及び第２の取付面６８のそれぞれに浸入抑制手段である第１の爪部６０及び第２の爪部７０がそれぞれ形成されているので、洗浄水タンク６内の洗浄水が筒体２０の第１の取付面５８及び第２の取付面６８のそれぞれから筒体２０の内部に浸入することを抑制し、筒体２０の上方のみから洗浄水を筒体２０内に流入させることができるため、排水口部１４の排水口１４ａから便器本体２に供給する洗浄水に対して、筒体２０の取付部から筒体２０の内部に浸入する洗浄水が無駄水として寄与することを抑えることができ、便器本体に供給される洗浄水量のばらつきも抑制することができる。
また、便器洗浄終了後等、筒体２０の外側の洗浄水タンク６内の水位が筒体２０の上端より下方にあり、本体部１８の弁体３８が開弁することにより、洗浄水タンク６の排水口６ｂに接続されている排水口部１４の排水口１４ａが開放され、筒体２０内の洗浄水が低下し、筒体２０の内側と外側で圧力差が生じている状態であっても、浸入防止手段である第１の爪部６０及び第２の爪部７０により筒体２０の外部の洗浄水が筒体２０の第１の取付面５８及び第２の取付面６８のそれぞれから筒体２０の内部に浸入することを防止することができるため、無駄水の発生を防ぐことができる。
これらの結果、本体部１８と筒体２０との組み付け性を向上させることができ、洗浄水量のばらつきと無駄水の発生を抑制し、節水化を実現することができる。
【００４０】
また、本実施形態による排水弁装置８によれば、第１の爪部６０が、筒体２０の下側開口部４６を排水口部１４の排水口部本体２０の取付部に取り付けた状態で変形すると共に第１の取付面５８と排水口部１４の排水口部本体２２の取付部の外周面との隙間を密閉するので、洗浄水タンク６内の洗浄水が筒体２０の取付部から内部に浸入することが防止されるため、排水口部１４の排水口１４ａから便器本体２に供給する洗浄水に対して、筒体２０の第１の取付面５８と排水口部１４の排水口部本体２２の取付部の外周面との隙間から筒体２０の内部に浸入する洗浄水が無駄水として寄与することを抑制することができ、便器本体２に供給される洗浄水量のばらつきも抑制することができる。
これらの結果、本体部１８と筒体２０との組み付け性を向上させることができると共に、洗浄水量のばらつきと無駄水の発生を抑制し、節水化を実現することができる。
【００４１】
さらに、本実施形態による排水弁装置８によれば、筒体２０の下側開口部４６の内周側を排水口部１４の排水口部本体２２の取付部の外周面に取り付けると、筒体２０の下側開口部４６の内周側の第１の取付面５８に形成された複数の突起６２が、排水口部１４の排水口部本体２２の取付部の外周面の突出部３４を乗り越えた直後に、これらの突起６２の上端と突出部３４の下端とが確実に係止されるため、筒体２０を本体部１８に対して強固に固定することができる。
また、洗浄水タンク６内の洗浄水の水圧によって筒体２０を浮上させる力が筒体２０に作用していたとしても、筒体２０の下側開口部４６の内周側の第１の取付面５８の複数の突起６２と排水口部１４の排水口部本体２２の取付部の外周面の突出部３４との確実な係止によって、筒体２０は本体部１８に対して抜け止めされるため、筒体２０を本体部１８に対して安定して保持することができる。
これらの結果、本体部１８と筒体２０との組み付け性を向上させることができると共に、洗浄水量のばらつきと無駄水の発生を抑制し、節水化を実現することができる。
【００４２】
また、本実施形態による排水弁装置８によれば、第２の爪部７０が、筒体２０を排水口部１４に取り付けた状態で変形すると共に第２の取付面６８と排水口部１４のオーバーフロー管接続部２８のリブ２８ａとの隙間を密閉するので、第２の取付面６８と排水口部１４のオーバーフロー管接続部２８のリブ２８ａの表面との隙間から筒体２０の内部に洗浄水が浸入することを防ぐことができるため、排水口部１４の排水口１４ａから便器本体２に供給する洗浄水に対して、第２の取付面６８と排水口部１４のオーバーフロー管接続部２８のリブ２８ｂの表面との隙間から筒体２０の内部に浸入する洗浄水が無駄水として寄与することを防ぐことができ、便器本体２に供給される洗浄水量のばらつきも抑制することができる。
これらの結果、本体部１８と筒体２０との組み付け性を向上させることができると共に、洗浄水量のばらつきと無駄水の発生を抑制し、節水化を実現することができる。
【００４３】
さらに、本実施形態による洗浄水タンク装置４によれば、洗浄水タンク６の仕様に応じて選択した排水弁装置８の筒体２０を排水弁装置８の本体部１８に後付けするだけで、洗浄水タンク６内の規定水位（止水水位（又は死水水位）ＤＷＬ）を容易に設定することができ、洗浄水タンク６から便器本体２に供給する洗浄水量を容易に調整することができる洗浄水タンク装置４を提供することができる。
また、排水弁装置８の本体部１８と筒体２０との取付部から筒体２０の内部に浸入する洗浄水が無駄水として寄与することを防ぐことができ、便器本体に供給される洗浄水量のばらつきも抑制することができる。
これらの結果、本体部１８と筒体２０との組み付け性を向上させることができ、洗浄水量のばらつきと無駄水の発生を抑制し、節水化を実現することができる。
【００４４】
また、本実施形態による水洗大便器１によれば、洗浄水タンク６の仕様に応じて選択した排水弁装置８の筒体２０を排水弁装置８の本体部１８に後付けするだけで、洗浄水タンク６内の規定水位（止水水位（又は死水水位）ＤＷＬ）を容易に設定することができ、洗浄水タンク６から便器本体２に供給する洗浄水量を容易に調整することができる水洗大便器１を提供することができる。
また、排水弁装置８の本体部１８と筒体２０との取付部から筒体２０の内部に浸入する洗浄水が無駄水として寄与することを防ぐことができ、便器本体２に供給される洗浄水量のばらつきも抑制することができる。
【００４５】
つぎに、図１０〜図１２を参照して、本発明の第２実施形態による排水弁装置の筒体について説明する。
図１０は、本発明の第２実施形態による排水弁装置の筒体を斜め上方から見た斜視図であり、図１１は、図１０のＸＩ−ＸＩ線に沿った断面図であり、図１２は、図１０のＸＩＩ−ＸＩＩ線に沿った断面図である。
なお、図１０〜図１２に示す本発明の第２実施形態による排水弁装置の筒体においては、本発明の第１実施形態による排水弁装置８の筒体２０と同一部分については同一の符号を付し、これらの説明は省略し、本発明の第１実施形態による排水弁装置８の筒体２０と異なる部分のみについて説明する。
【００４６】
図１０〜図１２に示すように、本発明の第２実施形態による排水弁装置の筒体１２０は、筒体１２０の底面部１４８が、筒体１２０内の下方領域Ａ３の流路断面積が下方に向かって減少するように側壁部１５０の下端から下側開口部１４６の上端に向かって湾曲状に形成されている点で、本発明の第１実施形態による排水弁装置８の筒体２０の底面部４８と異なっている。
【００４７】
本発明の第２実施形態による排水弁装置の筒体１２０によれば、この筒体１２０の底面部１４８が、筒体１２０内の下方領域Ａ３の流路断面積が下方に向かって減少するように側壁部１５０の下端から下側開口部１４６の上端に向かって湾曲状に形成されているので、底面部１４８が平坦に形成されている筒体１２０を採用した場合に比べて、筒体１２０自体の容積を減少させることができる。
したがって、本発明の第１実施形態による排水弁装置８の筒体２０と同様に、筒体１２０の浸入防止手段である第１の爪部６０及び第２の爪部７０の組み付けや、筒体１２０の突起６２と排水口部本体２２の突出部３４との組み付けにより、本体部１８と筒体２０との組み付け性を向上させることができると共に、洗浄水量のばらつきと無駄水の発生を抑制することができることに加えて、洗浄水タンク６の仕様に応じて選択した筒体１２０の内部から排水口部１４の排水口１４ａを経て便器本体２に供給される洗浄水量をより効果的に削減し、便器洗浄に使用される洗浄水の節水化を実現することができる。
【００４８】
なお、上述した本発明の第１実施形態による排水弁装置８の筒体２０及び本発明の第２実施形態による排水弁装置の筒体１２０においては、予め、洗浄水タンク６の排水口６ｂに排水弁装置８の本体部１８の排水口部１４の下側部分を上方から挿入して固定した状態とし、この状態で、洗浄水タンク６の仕様に応じて選択した筒体２０又は１２０を排水弁装置８の本体部１８の排水口部１４に上方から取り付けるような形態について説明したが、このような形態に限られず、他の形態についても適用可能である。
すなわち、他の形態として、筒体２０又は１２０について、洗浄水タンク６の排水口６ｂに排水弁装置８の本体部１８の排水口部１４の下側部分を上方から挿入して固定する前に、予め筒体２０又は１２０の取付部を排水弁装置８の本体部１８の排水口部１４の所定の取付部に下方から取り付けた後、この筒体２０又は１２０が取り付けられた状態の排水弁装置８の本体部１８の下側部分を洗浄水タンク６の排水口６ｂに挿入し、排水弁装置８の本体部１８及び筒体２０又は１２０を洗浄水タンク６に対して固定するようにしてもよい。
【符号の説明】
【００４９】
１    水洗大便器
２    便器本体
４    洗浄水タンク装置
４ａ  大洗浄ボタン
４ｂ  小洗浄ボタン
６    洗浄水タンク
６ａ  底面
６ｂ  排水口
８    排水弁装置
１０    給水装置
１２    オーバーフロー管
１４    排水口部
１４ａ  排水口
１６    排水弁部
１８    本体部
２０    筒体
２２    排水口部本体
２４    排水路形成部
２４ａ  縮径部
２４ｂ  排水路
２６    弁座
２８    オーバーフロー管接続部
２８ａ  リブ
２８ｂ  連通路
３０    鍔部
３２    パッキン
３４    突出部
３６    連通口（連通口部）
３８    弁体
４０    リンク機構
４２    主軸部材
４４    ケーシング
４６    下側開口部
４６ａ  開口
４８    底面部
５０    側壁部
５２    上側開口部
５２ａ  下端
５２ｂ  上端
５４    取付部
５６    外周面
５８    第１の取付面（筒体の取付部）
６０    第１の爪部（浸入防止手段）
６２    突起
６４    第１の側面
６６    スリット（筒体の取付部）
６８    第２の取付面（筒体の取付部）
７０    第２の爪部（浸入防止手段）
７２    湾曲面
７２ａ  最大湾曲面
Ａ１    第１の領域
Ａ２    第２の領域
Ａ３    下方領域
ＤＷＬ  止水水位（又は死水水位）
【図１】
0006565060.tif 000002
【図２】
0006565060.tif 000003
【図３】
0006565060.tif 000004
【図４】
0006565060.tif 000005
【図５】
0006565060.tif 000006
【図６】
0006565060.tif 000007
【図７】
0006565060.tif 000008
【図８】
0006565060.tif 000009
【図９】
0006565060.tif 000010
【図１０】
0006565060.tif 000011
【図１１】
0006565060.tif 000012
【図１２】
0006565060.tif 000013